(57)【要約】【課題】画像が記録された記録媒体上に押印された印影を画像データ上に貼付けることが可能な画像処理プログラム、スタンプ装置および画像処理装置を提供する。【解決手段】スタンプ情報を受け取ったスタンプ情報解析部３００は、スタンプ情報から位置情報２５３ａ、電子文書識別情報２５３ｂ、押印時期情報２６ａ、利用者情報２７ａ、およびスタンプ識別情報２７ｂを抽出する。印影情報管理部３０３は、印影情報蓄積部３３から該当する印影像を読みだし、電子文書管理部３０４は、電子文書蓄積部３４から該当する電子文書を読みだし、利用者照会部３０５は、利用者情報蓄積部３５を検索し、利用者が押印する資格があるか否かを判断する。利用者に押印する資格があるとき、印影貼付部３０２Ａは、押印情報３４０の位置情報２５３ａに基づいて、電子文書の所定の位置に読み出された印影像を貼付ける。【選択図】図４
2008141321.tif 000002
【特許請求の範囲】
【請求項１】
スタンプを識別するスタンプ識別情報、画像が記録された記録媒体上の前記スタンプの押印位置を示す位置情報および前記画像を識別する画像識別情報を含むスタンプ情報を受取る受取ステップと、
前記画像識別情報に対応する画像を画像蓄積部から読み出し、前記スタンプ識別情報に対応する印影情報を印影情報蓄積部から読み出す読出ステップと、
前記画像に前記印影情報を前記位置情報に基づいて貼付ける貼付ステップと、をコンピュータに実行させるための画像処理プログラム。
【請求項２】
前記貼付ステップは、前記記録媒体が複数ページからなるとき、前記記録媒体のいずれかのページに押印されたスタンプの位置情報に基づいて、前記画像に前記印影情報を貼付けることを特徴とする請求項１に記載の画像処理プログラム。
【請求項３】
前記スタンプ情報は、前記スタンプ情報が押印された時期を示す押印時期情報を含み、
前記貼付ステップは、前記画像に前記印影情報とともに前記押印時期情報を貼付けることを特徴とする請求項１に記載の画像処理プログラム。
【請求項４】
前記スタンプ情報は、前記スタンプを有するスタンプ装置の利用者を特定する利用者情報を含み、
前記貼付ステップは、前記利用者情報が、利用者情報蓄積部に蓄積されている利用者情報に含まれているとき、前記画像に前記印影情報を貼付けることを特徴とする請求項１に記載の画像処理プログラム。
【請求項５】
前記利用者情報は、前記利用者が押印した押印位置が、前記利用者に対して許されているか否かの可否情報を含み、
前記貼付けステップは、前記可否情報に基づいて、押印が許されているとき、前記画像に前記印影情報を貼付けることを特徴とする請求項１に記載の画像処理プログラム。
【請求項６】
前記位置情報は、前記記録媒体上の複数の位置情報を含み、
前記貼付けステップは、前記複数の位置情報に基づいて、前記スタンプの傾きを考慮して前記画像に前記印影情報を貼付けることを特徴とする請求項１に記載の画像処理プログラム。
【請求項７】
赤外線を発生する赤外光源と、
前記赤外光源を用いて、画像および座標情報が記録された記録媒体上のスタンプの押印位置を示す位置情報を読み取る読取部と、
前記読取部で読み取られた前記位置情報を外部装置に送信する送信部と、を備えたことを特徴とするスタンプ装置。
【請求項８】
前記スタンプを識別するスタンプ識別情報を生成するスタンプ識別情報生成部を備え、
前記送信部は、前記位置情報とともに前記スタンプ識別情報を前記外部装置に送信することを特徴とする請求項７に記載のスタンプ装置。
【請求項９】
前記読取部は、前記画像を識別する画像識別情報を読み取り、
前記送信部は、前記位置情報とともに前記画像識別情報を前記外部装置に送信することを特徴とする請求項７に記載のスタンプ装置。
【請求項１０】
前記スタンプの押印動作に基づいて前記スタンプの押印時期情報を生成する押印時期生成部を備えたことを特徴とする請求項７に記載のスタンプ装置。
【請求項１１】
前記スタンプを押印する者の認証を行う認証部を備えたことを特徴とする請求項７に記載のスタンプ装置。
【請求項１２】
前記認証部は、前記スタンプを押印する者の認証を行い、認証が成功したとき、その者を特定する利用者情報を生成し、
前記送信部は、前記利用者情報を前記外部装置に送信することを特徴とする請求項１１に記載のスタンプ装置。
【請求項１３】
スタンプを識別するスタンプ識別情報、画像が記録された記録媒体上の前記スタンプの押印位置を示す位置情報および前記画像を識別する画像識別情報を含むスタンプ情報を受信する受信部と、
前記画像識別情報に対応して画像が蓄積された画像蓄積部と、
前記スタンプ識別情報に対応して印影情報が蓄積された印影情報蓄積部と、
前記受信部によって受信された前記スタンプ情報に含まれる前記画像識別情報に対応する画像を前記画像蓄積部から読み出す画像読出部と、
前記受信部によって受信された前記スタンプ情報に含まれる前記スタンプ識別情報に対応する印影情報を前記印影情報蓄積部から読み出す印影情報読出部と、
前記画像に前記印影情報を前記位置情報に基づいて貼付ける印影貼付部と、を有することを特徴とする画像処理装置。
【発明の詳細な説明】
【技術分野】
【０００１】
本発明は、画像処理プログラム、スタンプ装置および画像処理装置に関する。
【背景技術】
【０００２】
従来の技術として、ホワイトボード上に赤外線を吸収するインクで独立多数のドットからなる検出用マーカーを印刷し、ペン型入力装置に設置されたカメラ部によって検出用マーカーを撮像し、検出用マーカーを検出することにより、筆跡データを求め、その筆跡データを外部装置に送信する、情報処理システムが知られている（例えば、特許文献１参照）。
【０００３】
この情報処理システムによると、利用者がホワイトボード上に書き込んだ内容を、パーソナルコンピュータ等に入力することが可能になる。
【特許文献１】特開２００５−７８３７４号公報
【発明の開示】
【発明が解決しようとする課題】
【０００４】
本発明の目的は、画像が記録された記録媒体上に押印された印影を画像データ上に貼付けることが可能な画像処理プログラム、スタンプ装置および画像処理装置を提案することに有る。
【課題を解決するための手段】
【０００５】
本発明は、上記目的を達成するため、以下の画像処理プログラム、スタンプ装置および画像処理装置を提供する。
【０００６】
（１）スタンプを識別するスタンプ識別情報、画像が記録された記録媒体上の前記スタンプの押印位置を示す位置情報および前記画像を識別する画像識別情報を含むスタンプ情報を受取る受取ステップと、前記画像識別情報に対応する画像を画像蓄積部から読み出し、前記スタンプ識別情報に対応する印影情報を印影情報蓄積部から読み出す読出ステップと、前記画像に前記印影情報を前記位置情報に基づいて貼付ける貼付ステップと、をコンピュータに実行させるための画像処理プログラム。
【０００７】
（２）前記貼付ステップは、前記記録媒体が複数ページからなるとき、前記記録媒体のいずれかのページに押印されたスタンプの位置情報に基づいて、前記画像に前記印影情報を貼付けることを特徴とする前記（１）に記載の画像処理プログラム。
【０００８】
（３）前記スタンプ情報は、前記スタンプ情報が押印された時期を示す押印時期情報を含み、前記貼付ステップは、前記画像に前記印影情報とともに前記押印時期情報を貼付けることを特徴とする前記（１）に記載の画像処理プログラム。
【０００９】
（４）前記スタンプ情報は、前記スタンプを有するスタンプ装置の利用者を特定する利用者情報を含み、前記貼付ステップは、前記利用者情報が、利用者情報蓄積部に蓄積されている利用者情報に含まれているとき、前記画像に前記印影情報を貼付けることを特徴とする前記（１）に記載の画像処理プログラム。
【００１０】
（５）前記利用者情報は、前記利用者が押印した押印位置が、前記利用者に対して許されているか否かの可否情報を含み、前記貼付けステップは、前記可否情報に基づいて、押印が許されているとき、前記画像に前記印影情報を貼付けることを特徴とする前記（１）に記載の画像処理プログラム。
【００１１】
（６）前記位置情報は、前記記録媒体上の複数の位置情報を含み、
前記貼付けステップは、前記複数の位置情報に基づいて、前記スタンプの傾きを考慮して前記画像に前記印影情報を貼付けることを特徴とする前記（１）に記載の画像処理プログラム。
【００１２】
（７）赤外線を発生する赤外光源と、前記赤外光源を用いて、画像および座標情報が記録された記録媒体上のスタンプの押印位置を示す位置情報を読み取る読取部と、前記読取部で読み取られた前記位置情報を外部装置に送信する送信部と、を備えたことを特徴とするスタンプ装置。
【００１３】
（８）前記スタンプを識別するスタンプ識別情報を生成するスタンプ識別情報生成部を備え、前記送信部は、前記位置情報とともに前記スタンプ識別情報を前記外部装置に送信することを特徴とする前記（７）に記載のスタンプ装置。
【００１４】
（９）前記読取部は、前記画像を識別する画像識別情報を読み取り、前記送信部は、前記位置情報とともに前記画像識別情報を前記外部装置に送信することを特徴とする前記（７）に記載のスタンプ装置。
【００１５】
（１０）前記スタンプの押印動作に基づいて前記スタンプの押印時期情報を生成する押印時期生成部を備えたことを特徴とする前記（７）に記載のスタンプ装置。
【００１６】
（１１）前記スタンプを押印する者の認証を行う認証部を備えたことを特徴とする前記（７）に記載のスタンプ装置。
【００１７】
（１２）前記認証部は、前記スタンプを押印する者の認証を行い、認証が成功したとき、その者を特定する利用者情報を生成し、前記送信部は、前記利用者情報を前記外部装置に送信することを特徴とする前記（１１）に記載のスタンプ装置。
【００１８】
（１３）スタンプを識別するスタンプ識別情報、画像が記録された記録媒体上の前記スタンプの押印位置を示す位置情報および前記画像を識別する画像識別情報を含むスタンプ情報を受信する受信部と、前記画像識別情報に対応して画像が蓄積された画像蓄積部と、前記スタンプ識別情報に対応して印影情報が蓄積された印影情報蓄積部と、前記受信部によって受信された前記スタンプ情報に含まれる前記画像識別情報に対応する画像を前記画像蓄積部から読み出す画像読出部と、前記受信部によって受信された前記スタンプ情報に含まれる前記スタンプ識別情報に対応する印影情報を前記印影情報蓄積部から読み出す印影情報読出部と、前記画像に前記印影情報を前記位置情報に基づいて貼付ける印影貼付部と、を有することを特徴とする画像処理装置。
【発明の効果】
【００１９】
請求項１の画像処理プログラムによれば、画像が記録された記録媒体上に押印された印影を画像データ上に貼付けることができる。
請求項２の画像処理プログラムによれば、画像が記録された記録媒体が複数ページあるとき、記録媒体のいずれかに押印されたスタンプの押印位置に基づいて、画像に印影情報を貼付けることができる。
請求項３の画像処理プログラムによれば、画像が記録された記録媒体上に押印された印影とともに押印した時期を画像データ上に貼付けることができる。
請求項４の画像処理プログラムによれば、登録されていない者によるスタンプ装置の不正使用を防ぐことができる。
請求項５の画像処理プログラムによれば、押印位置が利用者に対して許されているとき、押印された印影を画像データ上に貼付けることができる。
請求項６の画像処理プログラムによれば、複数の押印位置の位置情報によって、傾きを考慮した印影を画像データ上に貼付けることができる。
請求項７のスタンプ装置によれば、記録媒体上に押印した押印位置を示す位置情報を外部装置に送信することができる。
請求項８のスタンプ装置によれば、押印したスタンプを外部装置で識別することができる。
請求項９のスタンプ装置によれば、記録媒体上に記録された画像を識別する画像識別情報を生成し外部装置に送信することができる。
請求項１０のスタンプ装置によれば、外部装置側で押印時期を把握することができる。
請求項１１のスタンプ装置によれば、スタンプ装置の不正利用を防ぐことができる。
請求項１２のスタンプ装置によれば、押印が許可される者が複数存在するとき、押印した者を特定することができる。
請求項１３の画像処理装置によれば、画像が記録された記録媒体上に押印された印影を画像データ上に貼付けることができる。
【発明を実施するための最良の形態】
【００２０】
[第１の実施の形態]
（第１の実施の形態の構成）
図１は、本発明の第１の実施の形態に係る電子文書処理システムの全体図である。画像データとしてパーソナルコンピュータ等で作成された電子文書を例にとって詳細に説明する。なお、電子文書が印刷されたものを単に文書として扱う。
【００２１】
画像処理システムとしての電子文書処理システム１は、押印した位置情報や押印したスタンプを識別するスタンプ識別情報等が含まれるスタンプ情報を生成し、そのスタンプ情報を送信する１又は２つ以上のスタンプ装置２と、スタンプ装置２から送信されたスタンプ情報に基づいて、画像データとしての電子文書に印影情報を貼付ける外部装置としての電子文書処理装置３と、座標情報としてのＸ−Ｙ座標情報と電子文書を合成して記録媒体としての文書５を印刷するプリンタ装置４とを有する。
【００２２】
図２は、本発明の第１の実施の形態に係るスタンプ装置の概略図である。
【００２３】
スタンプ装置２は、筒状の本体２０と、個体認証用窓２１と、可動部２２と、可動制御部２３と、施開錠部２３ａと、撮像スイッチ２３ｂと、可動部２２に設けられスタンプ装置２の印章にあたる部分である印章部２４と、撮像部Ａ２５１ａと、撮像部Ｂ２５１ｂとを有する。
【００２４】
個体認証用窓２１は、本体２０の側面に設けられ、スタンプ装置２を利用できる利用者か否かの個体認証を行うときに、指を当てる場所である。
【００２５】
可動部２２は、本体２０に収容され、本体２０とは別に可動することが可能で、先端に印章部２４が設けられている。
【００２６】
可動制御部２３は、利用者がスタンプ装置２に登録されているか否かに基づいて、登録されているときには開錠して可動部２２を可動可能な状態にし、登録されていないときには施錠して可動部２２を可動不可能な状態にするように制御する。
【００２７】
施開錠部２３ａは、可動制御部２３の内部に設けられ、可動制御部２３の制御に従って、可動部２２の動きを制限する。
【００２８】
撮像スイッチ２３ｂは、可動制御部２３の内部に設けられ、押印するときに可動部２２が可動すると、撮像部Ａ２５１ａおよび撮像部Ｂ２５１ｂに文書５を撮像するように指示信号を出力するように構成されている。
【００２９】
撮像部Ａ２５１ａおよび撮像部Ｂ２５１ｂは、可動部２２に設けられ、撮像スイッチ２３ｂからの指示信号によって、撮像を開始する。
【００３０】
図３（ａ）は、本発明の第１の実施の形態に係るスタンプ装置内部の概略構成図であり、押印する前の状態を表している。後述する、図３（ｂ）は、押印した後の状態を表している。
【００３１】
スタンプ装置２は、上記本体２０と、上記可動部２２と、上記印章部２４と、赤外線ＬＥＤランプ２００と、可視光除去フィルタ２０１と、撮像素子２０２とを有する。
【００３２】
赤外線ＬＥＤランプ２００は、可動部２２の内部に設けられた撮像部Ａ２５１ａおよび撮像部Ｂ２５１ｂのそれぞれに設けられ、撮像スイッチ２３ｂからの指示信号に基づいて、文書５に赤外線を照射する。
【００３３】
可視光除去フィルタ２０１は、撮像部Ａ２５１ａおよび撮像部Ｂ２５１ｂのそれぞれに設けられ、文書５から反射した赤外線ＬＥＤランプ２００の光のみを透過させるために、可視光線を除去する。
【００３４】
撮像素子２０２は、撮像部Ａ２５１ａおよび撮像部Ｂ２５１ｂのそれぞれに設けられ、撮像スイッチ２３ｂからの指示信号に基づいて、文書５上の２箇所について撮像する。
【００３５】
図４は、本発明の第１の実施の形態に係るスタンプ装置と電子文書処理装置のブロック図である。
【００３６】
（スタンプ装置の構成）
スタンプ装置２は、上記可動制御部２３と、コード読取部２５と、押印時期生成部としての時期管理部２６と、個体認証部２７と、スタンプ情報生成部２８と、スタンプ情報を送信する送信部２９とを有する。
【００３７】
コード読取部２５は、上記撮像部Ａ２５１ａと、上記撮像部Ｂ２５１ｂと、撮像部Ａ２５１ａおよび撮像部Ｂ２５１ｂで撮像した撮像データを処理する信号処理部２５２と、信号処理部２５２から送られたコード信号を解読し、位置情報２５３ａおよび電子文書識別情報２５３ｂを生成するコード解読部２５３とを有する。
【００３８】
時期管理部２６は、スタンプが押された日付および時刻（時分秒）を示す押印時期情報２６ａを撮像スイッチ２３ｂからの信号に基づいて生成する。押印時期情報２６ａは、日付だけであってもよいし、日付および時分であってもよい。
【００３９】
個体認証部２７は、利用者が、スタンプ装置２に登録された利用者であるか否かを、個体認証用窓２１に当てられた指紋を照合することで判断し、その結果に基づいて、利用者情報２７ａとスタンプ識別情報２７ｂを生成する。
【００４０】
スタンプ情報生成部２８は、位置情報２５３ａ、電子文書識別情報２５３ｂ、押印時期情報２６ａ、利用者情報２７ａ、およびスタンプ識別情報２７ｂからスタンプ情報を生成する。
【００４１】
（電子文書処理装置の構成）
電子文書処理装置３は、画像処理プログラムとしての電子文書処理プログラム３０と、スタンプ装置２からのスタンプ情報を受信する受信部３１と、エラー表示等の表示を行う表示部３２と、スタンプ識別情報に対応して印影情報としての印影像を蓄積した印影情報蓄積部３３と、電子文書と後述する押印情報３４０を蓄積する電子文書蓄積部３４と、スタンプ装置２の使用が許可された利用者のリストを蓄積した利用者情報蓄積部３５とを有する。
【００４２】
電子文書処理プログラム３０は、電子文書処理装置３内に設けられたＨＤＤ（Ｈａｒｄ  Ｄｉｓｋ  Ｄｒｉｖｅ）等の記憶部（図示せず）に記憶され、ＣＰＵ（Ｃｅｎｔｒａｌ  Ｐｒｏｃｅｓｓｉｎｇ  Ｕｎｉｔ）（図示せず）によって実行される。
【００４３】
また電子文書処理プログラム３０は、各部を統括的に制御する制御部３０１と、スタンプ情報を解析してスタンプ識別情報２７ｂ等を抽出するスタンプ情報解析部３００と、印影情報読出部としての印影情報管理部３０３と、画像読出部としての電子文書管理部３０４と、利用者照会部３０５と、印影貼付部３０２Ａと、コード情報生成部３０６と、印刷制御部３０７とを有する。
【００４４】
（記録媒体の構成）
図５（ａ）は、本発明の第１の実施の形態に係る文書の平面図である。
【００４５】
文書５は、コード情報生成部３０６で生成したコード化したＸ−Ｙ座標情報と電子文書識別情報２５３ｂを、コード画像５０として文書５の全体にマトリクス状に印刷されている。
【００４６】
図５（ｂ）は、本発明の第１の実施の形態に係る文書上に印刷されたコード画像の拡大図である。コード画像５０は、一辺を２ｍｍとしているが、他の値を取ることも考えられる。
【００４７】
文書５にマトリクス状に印刷されたコード画像５０は、左上に配置されたローテンションコード部５０ａと、ローテンションコード部５０ａの下に配置されたＸ座標コード部５０ｂと、ローテンションコード部５０ａの右に配置されたＹ座標コード部５０ｃと、ローテンションコード部５０ａの右下に配置された識別コード部５０ｄとで構成される。
【００４８】
ローテンションコード部５０ａは、コード化された、自己のコード画像５０の領域を示す情報を持っている。
【００４９】
Ｘ座標コード部５０ｂおよびＹ座標コード部５０ｃは、コード化された、それぞれの自己のコード画像５０の記録媒体上のＸ座標情報およびＹ座標情報（位置情報）を持っている。
【００５０】
識別コード部５０ｄは、コード化された、記録媒体の識別情報や、記録媒体に印刷された文書５の電子文書識別情報２５３ｂを持っている。
【００５１】
Ｘ座標コード部５０ｂは、コード化された、縦方向が同じＸ座標であり、Ｙ座標コード部５０ｃは、コード化された、横方向が同じＹ座標である。
【００５２】
ローテンションコード部５０ａおよび識別コード部５０ｄは、記録媒体上のコード画像５０の位置によらず、全て同じコードを記録している。よって、電子文書管理部３０４は、文書５上にある任意の識別コード部５０ｄから得られる電子文書識別情報２５３ｂから、文書５を特定することができる。
【００５３】
図５（ｃ）は、本発明の第１の実施の形態に係る１つのコード画像の拡大図である。
【００５４】
上記の各コード部５０ａ〜５０ｄは、図５（ｃ）に示すように、スラッシュ「／」からなる斜線パターン５００ａとバックスラッシュ「＼」からなる斜線パターン５００ｂの組合せから構成されている。各斜線パターン５００ａ、５００ｂは、例えば、０．２ｍｍピッチで形成され、１つの斜線パターン５００ａ、５００ｂにより、１ビットの情報（０または１）を表している。
【００５５】
なお、コード画像５０におけるパターンは、上記斜線パターン５００ａ、５００ｂに限定されず、周知のＱＲコード、ＰＤＦ４１７、Ｄａｔａ  Ｍａｔｒｉｘ、Ｍａｘｉ  Ｃｏｄｅ等の２次元コードでもよく、バーコード等の１次元コードや独自コードでもよい。また、目的に応じて複数種のコードを組み合わせてもよい。
【００５６】
（押印情報の構成）
図６は、本発明の第１の実施の形態に係る押印情報の構成図である。電子文書管理部３０４で管理され電子文書蓄積部３４に蓄積される押印情報３４０の一例を表している。
【００５７】
押印情報３４０は、押印情報３４０を識別するために付けられた識別番号３４０ａと、上記電子文書識別情報２５３ｂと、押印ページ３４０ｂと、上記位置情報２５３ａと、上記スタンプ識別情報２７ｂと、上記押印時期情報２６ａと、上記利用者情報２７ａとを有する。
【００５８】
押印ページ３４０ｂは、複数のページにわたる文書５のどのページに押印したかを表している。その場合のＸ−Ｙ座標情報は、複数の文書５を１枚の文書５とみなして設定される。
【００５９】
位置情報２５３ａは、２つの（ｘ、ｙ）情報を持つ。これはスタンプ装置２が、撮像部を２つ持つからである。識別番号３４０ａの１番を例にとると、撮像部Ａ２５１ａで取得した位置情報２５３ａは、（１８０、３０）であり、撮像部Ｂ２５１ｂで取得した位置情報２５３ａは、（１９５、３０）である。ｙ成分がともに３０で変化しないことから、印影が文書５のＸ−Ｙ座標のＸ軸に対して傾かないことがわかる。よって文書５に対しても印影は、傾かないことがわかる。
【００６０】
また、識別番号３４０ａの３から５は、複数のページからなる文書５であることがこの表から読み取れ、スタンプ識別情報２７ｂと利用者情報２７ａが同じであることから、ひとりの利用者が、同じ印章部２４を用いて、文書５の複数のページに少し時間を置いて押印したことがわかる。
【００６１】
（第１の実施の形態の動作）
以下に、本発明の第１の実施の形態における電子文書システム１の動作の例を図１から図１１を参照しつつ図８および図９のフローチャートに従って説明する。なお、下記では、複数の文書５を複数の者に回覧する場合について説明する。
【００６２】
（スタンプ装置の動作）
図３（ｂ）は、本発明の第１の実施の形態に係る記録媒体に押印したときの概略図である。個体認証を行い承認された後、文書５に押印した状態を表している。
【００６３】
利用者が個体認証用窓２１に指をかざし、個体認証部２７によってスタンプ装置２に登録された利用者であると判断されたとき（Ｓ１０；Ｙｅｓ）、可動制御部２３が施開錠部２３ａに指示し、本体２０に固定された可動部２２の固定を解除し、押印することが可能になる（Ｓ１１）。
【００６４】
ここで、個体認証部２７によって利用者が認証されなかったときは（Ｓ１０；Ｎｏ）、動作を終了する。
【００６５】
利用者が、文書５の所定の位置に押印するとき、可動部２２が動くことによって撮像スイッチ２３ｂから指令信号が出力され、赤外線ＬＥＤランプ２００から赤外線が発光され、撮像素子２０２は、文書５上に特殊なインク等で記録されたコード画像５０を可視光除去フィルタ２０１を通して撮像する（Ｓ１２）。
【００６６】
コード画像５０を撮像して得られた撮像イメージ５１は、撮像部Ａ２５１ａおよび撮像部Ｂ２５１ｂから信号処理部２５２に送られ、所定の処理を経て、コード解読部２５３に送信される。
【００６７】
下記にコード解読部２５３が、撮像イメージ５１から、位置情報２５３ａ、電子文書識別情報２５３ｂを抽出する動作を図７を用いて説明する。
【００６８】
図７は、本発明の第１の実施の形態に係る撮像イメージの拡大図である。
【００６９】
コード読取部２５で撮像した撮像イメージ５１は、コード画像５０よりも大きく設定しており、コード画像５０の大きさを上記のように２ｍｍ×２ｍｍとすると、例えば、撮像イメージ５１は３ｍｍ×３ｍｍと設定している。
【００７０】
いまコード画像５０の大きさが２ｍｍ×２ｍｍになるように、図７の点線で囲った領域５５を考える。
【００７１】
コード解読部２５３は、領域５５の各コードの部分から、Ｘ座標コードならば、図７に示すように、５３ｂの下に５３ａを組合せ、Ｙ座標コードならば、５２ｂの右に５２ａを組合せ、識別コードならば、５４ｄの上に５４ｂを、５４ｄの左に５４ｃを、５４ｂと５４ｃの間に５４ａを組合せ、各コードを復元している。
【００７２】
コード解読部２５３は、復元した各コードに基づいて、２つのＸ−Ｙ座標情報を含む位置情報２５３ａと、電子文書識別情報２５３ｂを抽出する。
【００７３】
スタンプ情報生成部２８は、コード読取部２５で抽出した位置情報２５３ａと電子文書識別情報２５３ｂ、個体認証部２７で得られた利用者情報２７ａとスタンプ識別情報２７ｂ、時期管理部２６で得られた押印時期情報２６ａに基づいてスタンプ情報を生成する。スタンプ情報は送信部２９から電子文書処理装置３に送信される。
【００７４】
（電子文書処理装置の動作）
電子文書処理装置３の受信部３１は、スタンプ情報を送信部２９から受け取り（Ｓ２０）、スタンプ情報解析部３００にスタンプ情報を送信する。
【００７５】
スタンプ情報解析部３００は、スタンプ情報から位置情報２５３ａ、電子文書識別情報２５３ｂ、押印時期情報２６ａ、利用者情報２７ａ、およびスタンプ識別情報２７ｂを抽出し、制御部３０１に送信する。
【００７６】
制御部３０１は、スタンプ識別情報２７ｂを印影情報管理部３０３へ、位置情報２５３ａ、電子文書識別情報２５３ｂ、押印時期情報２６ａ、利用者情報２７ａ、およびスタンプ識別情報２７ｂを電子文書管理部３０４へ、利用者情報２７ａを利用者照会部３０５へそれぞれ送信する。
【００７７】
利用者照会部３０５は、利用者情報２７ａに基づいて、利用者情報蓄積部３５から該当する利用者情報２７ａを検索し、利用者が電子文書に押印する資格があるか否かを判断する。
【００７８】
スタンプ情報から抽出した利用者情報２７ａが、利用者情報蓄積部３５に存在しているときは、利用者照会部３０５は、電子文書に押印する資格があると判断する（Ｓ２１；Ｙｅｓ）。
【００７９】
印影情報管理部３０３は、スタンプ識別情報２７ｂに基づいて印影情報蓄積部３３から該当する印影像を読み出す。
【００８０】
電子文書管理部３０４は、位置情報２５３ａ、電子文書識別情報２５３ｂ、押印時期情報２６ａ、利用者情報２７ａ、およびスタンプ識別情報２７ｂから押印情報３４０を生成し、電子文書蓄積部３４に蓄積する。
【００８１】
また、電子文書管理部３０４は、電子文書識別情報２５３ｂに基づいて電子文書蓄積部３４から該当する電子文書を読み出す。
【００８２】
更に、電子文書管理部３０４は、予め保持している文書５の集約期限と、現在の時刻を比較し、文書５の集約期限がきたか否かを判断する。
【００８３】
電子文書管理部３０４が、文書５の集約期限がきたと判断すると（Ｓ２２；Ｙｅｓ）、押印情報３４０の位置情報２５３ａに対応する、電子文書の所定の位置に印影情報管理部３０３によって読み出された印影像を貼付ける（Ｓ２３）。
【００８４】
ここで、利用者に押印の資格がなかったとき（Ｓ２１；Ｎｏ）、制御部３０１は、表示部３２にエラーを表示する（Ｓ２４）。
【００８５】
ここで、文書５の集約期限がまだあるときは（Ｓ２２；Ｎｏ）、ステップ２０に戻って動作を続ける。
【００８６】
（記録媒体の具体例）
図１０（ａ）および（ｂ）は、本発明の第１の実施の形態に係る記録媒体に押印された文書の図である。また図１１は、本発明の第１の実施の形態に係る印影貼付部によって複数の印影を１つにまとめた電子文書を表す図である。会社の中で回覧される合議を必要とする電子文書５を例に取って説明する。
【００８７】
電子文書蓄積部３４に蓄積又は新規に作成された、合議を必要とする電子文書は、コード情報生成部３０６においてコード化された電子文書識別情報２５３ｂやＸ−Ｙ座標情報とともにプリンタ装置４で印刷される。
【００８８】
１つの部署で回覧が終了するときは、印刷する文書５は１部でよいが、多数の部署にまたがるときは、同じ文書５を複数用意して、それぞれに押印し、結果を集計するのが一般的である。
【００８９】
図１０（ａ）における文書Ａ５ａは、ある部署に回覧された文書５で、承認５０１、条件付可決５０２、否決５０３のいずれかに担当者が押印するものとする。
【００９０】
図１０（ａ）を図６の押印情報３４０を参照すると、印影５０４の押印情報３４０は、識別番号３４０ａの７番として電子文書蓄積部３４に蓄積されている。
【００９１】
同様に図１０（ｂ）を図６の押印情報３４０を参照すると、印影５０５の押印情報３４０は、識別番号３４０ａの８番として電子文書蓄積部３４に蓄積されている。
【００９２】
印影５０５は、図１０（ｂ）で明らかなように、欄５０２ｂに対して傾いている。図６の識別番号３４０ａの８番の位置情報２５３ａを参照すると、（９０、１９０）（１０４、１９５）となっており、ｙ軸の成分が１９０と１９５なので、印影５０５が傾いていることを表している。
【００９３】
同様に、いくつかの部署で文書５が回覧され、電子文書処理装置３には押印情報３４０として図６に示すように、押印情報３４０が蓄積されていく。印影貼付部３０２Ａは、文書５を集約する期限が来ると、図１１に示す電子文書５００を作成する。
【００９４】
図１１における印影像５１４は、図１０（ａ）に示した文書Ａ５ａに押印された印影５０４で、図６の識別番号３４０ａの７番に対応している。印影像５１５は、図１０（ｂ）に示した文書Ｂ５ｂに押印された印影５０５で、図６の識別番号３４０ａの８番に対応している。印影像５１６は、図示しない文書に押印された印影５０６で、図６の識別番号３４０ａの９番に対応している。印影像５１７は、図示しない文書に押印された印影５０７で、図６の識別番号３４０ａの１０番に対応している。
【００９５】
上記のように集約された押印情報３４０に基づいて、印影貼付部３０２Ａは、電子文書５００の欄５０１ａに印影像５１４を、欄５０２ｂに印影像５１５を、欄５０１ｃに印影像５１６を、欄５０１ｄに印影像５１７を、それぞれ貼付ける。
【００９６】
従来であれば、これらの２つの文書をパーソナルコンピュータ或いはサーバに記録するためには、この２枚をスキャナー等の読取装置でデジタル化し、別々の文書５の画像データとして保存するか、印影像だけを切り抜いてどちらかの文書５の画像データに貼付けるしかなかった。
【００９７】
しかし、スタンプ装置２からスタンプ情報を送信し、電子文書処理装置３が、スタンプ情報から、電子文書識別情報２５３ｂ、押印時期情報２６ａ、利用者情報２７ａ、およびスタンプ識別情報２７ｂを抽出し、図６のように押印情報３４０として蓄積することで、位置情報２５３ａに対応する電子文書５００の位置に、印影の傾きまで再現して、印影像を貼付けることが可能になる。
【００９８】
[第２の実施の形態]
（第２の実施の形態の構成）
図１２は、本発明の第２の実施の形態に係るスタンプ装置と電子文書処理装置のブロック図である。以下の説明において、第１の実施の形態と同一の構成および機能を有する部分については共通の符号を付している。
【００９９】
なお、本実施の形態は、第１の実施の形態とは、電子文書処理装置３の印影貼付部３０２Ｂのみが異なり、他は第１の実施の形態と同様に構成されている。
【０１００】
（第２の実施の形態の動作）
図１３は、本発明の第２の実施の形態に係る印影像と押印時期像を貼付けた欄の拡大図である。
【０１０１】
第１の実施の形態と同様の処理を経て、押印情報３４０に基づいて、印影貼付部３０２Ｂが電子文書５００に印影像５１５と押印時期情報２６ａを貼付ける動作について説明する。
【０１０２】
第１の実施の形態の所定の動作を終えた後、電子文書管理部３０４は、押印情報３４０の押印時期情報２６ａから、該当する押印時期像５０８を抽出する。
【０１０３】
印影貼付部３０２Ｂは、位置情報２５３ａと印影像５１５および押印時期像５０８に基づいて、電子文書５００の欄５０２ｂに、押印時期像５０８と印影像５１５を貼付ける。
【０１０４】
押印時期像５０８を印影像５１５とともに電子文書５００に貼付けることにより、押印した日付だけでなく、詳細な時刻がわかるので、いつ誰が押印したのかがより明確になり、押印した順序が問われるような文書等に利用することができる。
【０１０５】
なお、本発明は、上記した実施の形態に限定されず、本発明の技術思想を逸脱あるいは変更しない範囲内で種々の変形が可能である。また、これらはプログラムとして図示しないメディア読取部や、図示しない通信部からインストールされ、ＣＰＵによって実現されてもよいし、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって回路として実現されてもよい。
【図面の簡単な説明】
【０１０６】
【図１】本発明の第１の実施の形態に係る電子文書処理システムの全体図である。
【図２】本発明の第１の実施の形態に係るスタンプ装置の概略図である。
【図３】（ａ）は、本発明の第１の実施の形態に係るスタンプ装置内部の概略構成図であり、（ｂ）は、本発明の第１の実施の形態に係るスタンプ装置を用いて押印した後の状態を表す図である。
【図４】本発明の第１の実施の形態に係るスタンプ装置と電子文書処理装置のブロック図である。
【図５】（ａ）は、本発明の第１の実施の形態に係る文書の平面図であり、（ｂ）は、本発明の第１の実施の形態に係る文書上に印刷されたコード画像の拡大図であり、（ｃ）は、本発明の第１の実施の形態に係る１つのコード画像の拡大図である。
【図６】本発明の第１の実施の形態に係る押印情報の構成図である。
【図７】本発明の第１の実施の形態に係る撮像イメージの拡大図である。
【図８】本発明の第１の実施の形態に係る個体認証のフローチャートである。
【図９】本発明の第１の実施の形態に係るに係る貼付けステップのフローチャートである。
【図１０】（ａ）および（ｂ）は、本発明の第１の実施の形態に係る記録媒体に押印された文書の図である。
【図１１】本発明の第１の実施の形態に係る印影貼付部によって複数の印影を１つにまとめた電子文書を表す図である。
【図１２】本発明の第２の実施の形態に係るスタンプ装置と電子文書処理装置のブロック図である。
【図１３】本発明の第２の実施の形態に係る印影像と押印時期像を貼付けた欄の拡大図である。
【符号の説明】
【０１０７】
１・・・電子文書処理システム、２・・・スタンプ装置、３・・・電子文書処理装置、４・・・プリンタ装置、５・・・文書、５ａ・・・文書Ａ、５ｂ・・・文書Ｂ、２０・・・本体、２１・・・個体認証用窓、２２・・・可動部、２３・・・可動制御部、２３ａ・・・施開錠部、２３ｂ・・・撮像スイッチ、２４・・・印章部、２５・・・コード読取部、２６・・・時期管理部、２６ａ・・・押印時期情報、２７・・・個体認証部、２７ａ・・・利用者情報、２７ｂ・・・スタンプ識別情報、２８・・・スタンプ情報生成部、２９・・・送信部、３０・・・電子文書処理プログラム、３１・・・受信部、３２・・・表示部、３３・・・印影情報蓄積部、３４・・・電子文書蓄積部、３５・・・利用者情報蓄積部、５０・・・コード画像、５０ａ・・・ローテンションコード部、５０ｂ・・・Ｘ座標コード部、５０ｃ・・・Ｙ座標コード部、５０ｄ・・・識別コード部、５１・・・撮像イメージ、５２ａ・・・Ｙ座標コード部、５２ｂ・・・Ｙ座標コード部、５３ａ・・・Ｘ座標コード部、５３ｂ・・・Ｘ座標コード部、５４ａ・・・識別コード、５４ｂ・・・識別コード、５４ｃ・・・識別コード、５４ｄ・・・識別コード、５５・・・領域、２００・・・赤外線ＬＥＤランプ、２０１・・・可視光除去フィルタ、２０２・・・撮像素子、２５１ａ・・・撮像部Ａ、２５１ｂ・・・撮像部Ｂ、２５２・・・信号処理部、２５３・・・コード解読部、２５３ａ・・・位置情報、２５３ｂ・・・電子文書識別情報、３００・・・スタンプ情報解析部、３０１・・・制御部、３０２Ａ・・・印影貼付部、３０２Ｂ・・・印影貼付部、３０３・・・印影情報管理部、３０４・・・電子文書管理部、３０５・・・利用者照会部、３０６・・・コード情報生成部、３０７・・・印刷制御部、３４０・・・押印情報、３４０ａ・・・識別番号、３４０ｂ・・・押印ページ、５００・・・電子文書、５０１・・・承認、５０１ａ・・・欄、５０１ｃ・・・欄、５０１ｄ・・・欄、５０２・・・条件付可決、５０２ｂ・・・欄、５０３・・・否決、５０４・・・印影、５０５・・・印影、５０６・・・印影、５０７・・・印影、５０８・・・押印時期像、５１４・・・印影像、５１５・・・印影像、５１６・・・印影像、５１７・・・印影像
【図１】
2008141321.tif 000003
【図２】
2008141321.tif 000004
【図３】
2008141321.tif 000005
【図４】
2008141321.tif 000006
【図５】
2008141321.tif 000007
【図６】
2008141321.tif 000008
【図７】
2008141321.tif 000009
【図８】
2008141321.tif 000010
【図９】
2008141321.tif 000011
【図１０】
2008141321.tif 000012
【図１１】
2008141321.tif 000013
【図１２】
2008141321.tif 000014
【図１３】
2008141321.tif 000015